(57)【要約】【課題】急須との着脱が極めて容易で、茶漉し自体と注ぎ口の清掃が容易となるとともに、汎用の急須に適用できるとともに、急須の周壁の形状・大きさが異なる場合にも適用できて製造コストを低減させることができる急須用茶漉しを提供する。【解決手段】急須用茶漉し５は、支持部３０と支持部３０に着脱する茶漉し本体１０とを有し、茶漉し本体１０は、多数の開口部が形成された筒状部１２と、筒状部１２の一方の開口端部を閉塞する閉じ部２０とを有し、支持部３０は、テーパ状の筒状を呈するテーパ筒状部３２と、テーパ筒状部３２の後側の端部から外周側に突出して形成された環状突部３４と、テーパ筒状部３２の前側の端部から外周側に突出して形成された環状突部３６とを有し、筒状部１２の外径は、テーパ筒状部３２の最小内径よりも大きく形成されている。支持部３０は、急須の胴体部に設けられた開口部に装着して使用する。【選択図】図１
2017042591.tif 000002
【特許請求の範囲】
【請求項１】
急須用茶漉しであって、
支持部（３０）と、支持部に着脱する茶漉し本体（１０）とを有し、
支持部が、
内周面（３２ａ）の断面が円形を呈する筒状を呈し、一方の開口部側である前側から他方の開口部側である後側にいくに従い内径が大きくなる第１筒状部（３２）と、
第１筒状部の外周側に突出して形成された第１環状突部（３４）と、
第１筒状部の外周側に突出して形成され、第１環状突部よりも前側に第１環状突部と間隔を介して形成された第２環状突部（３６）と、を有し、支持部が、柔軟性のある材質により形成され、
茶漉し本体が、
液体通過用の穴部が周面に形成された筒状の第２筒状部で、少なくとも一方の開口部側である前側の端部領域が円筒状に形成された第２筒状部（１２）と、
第２筒状部の他方の開口部側に設けられ、該他方の開口部側である後側からの茶葉の流入を防止するための閉じ部（２０）と、を有し、
第２筒状部の該前側の端部領域における外径が、第１筒状部の最小内径よりも大きく形成され、
急須における茶葉を投入するための胴体部（５４）に形成された開口部である胴体部開口部（５６）に支持部を第１筒状部における前側を胴体部の外側にするとともに該胴体部開口部の縁部（５７）を第１環状突部と第２環状突部の間に位置させて取り付け、さらに、第２筒状部の前側を支持部の第１筒状部に第１筒状部の後側から挿通させることにより、第１筒状部における最小内径の部分が外周側に広がり、第２筒状部が第１筒状部に支持されることを特徴とする急須用茶漉し。
【請求項２】
第１筒状部における第１環状突部と第２環状突部間の外周面（３２ｂ）が、円錐台形状の周面を呈することを特徴とする請求項１に記載の急須用茶漉し。
【請求項３】
第１環状突部の前側の面（３４ａ）が、外周側が内周側に対して後側に傾斜した円錐台状の周面を呈することを特徴とする請求項１又は２に記載の急須用茶漉し。
【請求項４】
第１環状突部の前側の面（３４ａ）が、外周側が内周側に対して後側に傾斜した円錐台状の周面を呈し、第２環状突部の後側の面（３６ｅ）が、支持部の軸線に対して直角をなすことを特徴とする請求項１又は２に記載の急須用茶漉し。
【請求項５】
第２筒状部が全体に円筒状を呈することを特徴とする請求項１又は２又は３又は４に記載の急須用茶漉し。
【請求項６】
急須用茶漉しであって、
支持部（３０）と、支持部に着脱する茶漉し本体（１０）とを有し、
支持部が、
内側に円錐台形状の空間を有する筒状の第１筒状部で、一方の開口部側である前側から他方の開口部側である後側にいくに従い内径が大きくなる第１筒状部（３２）と、
第１筒状部の後側の端部から外周側に突出して形成された第１環状突部（３４）と、
第１筒状部の前側の端部から外周側に突出して形成され、第１環状突部と間隔を介して形成された第２環状突部（３６）と、を有し、
第１筒状部における第１環状突部と第２環状突部間の外周面（３２ｂ）が、円錐台形状の周面を呈し、
第１環状突部の前側の面（３４ａ）が、外周側が内周側に対して後側に傾斜した円錐台状の周面を呈し、
支持部が、柔軟性のある材質により形成され、
茶漉し本体が、
液体通過用の穴部が周面に形成された円筒状の第２筒状部（１２）と、
第２筒状部の一方の開口部側である後側の開口部に設けられた閉じ部で、該後側の開口部からの茶葉の流入を防止するための閉じ部（２０）と、を有し、
第２筒状部の外径が、第１筒状部の最小内径よりも大きく形成され、
急須における茶葉を投入するための胴体部（５４）に形成された開口部である胴体部開口部（５６）に支持部を第１筒状部における前側を胴体部の外側にするとともに該胴体部開口部の縁部（５７）を第１環状突部と第２環状突部の間に位置させて取り付け、さらに、第２筒状部の前側を支持部の第１筒状部に第１筒状部の後側から挿通させることにより、第１筒状部における最小内径の部分が外周側に広がり、第２筒状部が第１筒状部に支持されることを特徴とする急須用茶漉し。
【請求項７】
第２環状突部の後側の面（３６ｅ）が、支持部の軸線に対して直角をなすことを特徴とする請求項６に記載の急須用茶漉し。
【請求項８】
閉じ部が、第２筒状部の後側の開口部に着脱自在であることを特徴とする請求項１又は２又は３又は４又は５又は６又は７に記載の急須用茶漉し。
【請求項９】
閉じ部が、第２筒状部の後側の開口部を閉塞することを特徴とする請求項１又は２又は３又は４又は５又は６又は７又は８に記載の急須用茶漉し。
【請求項１０】
急須（５０）と、該急須に取り付ける急須用茶漉しで、請求項１又は２又は３又は４又は５又は６又は７又は８又は９に記載の急須用茶漉し（５）とを有する急須セットであって、
急須が、
茶葉を投入するための胴体部で、上側に上部開口部（５８）を有する胴体部（５４）と、
胴体部から突設された注ぎ口（６０）と、を有し、
胴体部には、注ぎ口側に設けられた開口部である胴体部開口部（５６）が形成され、
胴体部開口部に支持部を第１筒状部における前側を胴体部の外側にするとともに該胴体部開口部の縁部（５７）を第１環状突部と第２環状突部の間に位置させて取り付け、さらに、第２筒状部の前側を支持部の第１筒状部に第１筒状部の後側から挿通させて第２筒状部が第１筒状部に支持された状態では、第１筒状部における第１環状突部と第２環状突部間の外周面が、胴体部開口部の縁部に接していることを特徴とする急須セット。
【請求項１１】
第１環状突部と第２環状突部間の隙間で、支持部の軸線方向の隙間の長さにおける最小値が、胴体部開口部の縁部の厚みよりも大きいことを特徴とする請求項１０に記載の急須セット。
【請求項１２】
急須（５０）と、該急須に取り付ける急須用茶漉し（５）とを有する急須セットであって、
急須が、
茶葉を投入するための胴体部で、上側に上部開口部（５８）を有する胴体部（５４）と、
胴体部から突設された注ぎ口（６０）と、を有し、
胴体部には、注ぎ口側に設けられた開口部である胴体部開口部（５６）が形成され、
急須用茶漉しが、
支持部（３０）と、支持部に着脱する茶漉し本体（１０）とを有し、
支持部が、
内側に円錐台形状の空間を有する筒状の第１筒状部で、一方の開口部側である前側から他方の開口部側である後側にいくに従い内径が大きくなる第１筒状部（３２）と、
第１筒状部の後側の端部から外周側に突出して形成された第１環状突部（３４）と、
第１筒状部の前側の端部から外周側に突出して形成され、第１環状突部と間隔を介して形成された第２環状突部（３６）と、を有し、
第１筒状部における第１環状突部と第２環状突部間の外周面（３２ｂ）が、円錐台形状の周面を呈し、
第１環状突部の前側の面（３４ａ）が、外周側が内周側に対して後側に傾斜した円錐台状の周面を呈し、
支持部が、柔軟性のある材質により形成され、
茶漉し本体が、
液体通過用の穴部が周面に形成された円筒状の第２筒状部（１２）と、
第２筒状部の一方の開口部側である後側の開口部に設けられた閉じ部で、該後側の開口部からの茶葉の流入を防止するための閉じ部（２０）と、を有し、
第２筒状部の外径が、第１筒状部の最小内径よりも大きく形成され、
胴体部開口部に支持部を第１筒状部における前側を胴体部の外側にするとともに該胴体部開口部の縁部（５７）を第１環状突部と第２環状突部の間に位置させて取り付け、さらに、第２筒状部の前側を支持部の第１筒状部に第１筒状部の後側から挿通させることにより、第１筒状部における最小内径の部分が外周側に広がり、第２筒状部が第１筒状部に支持され、第２筒状部が第１筒状部に支持された状態では、第１筒状部における第１環状突部と第２環状突部間の外周面が、胴体部開口部の縁部に接していることを特徴とする急須セット。
【請求項１３】
第１環状突部と第２環状突部間の隙間で、支持部の軸線方向の隙間の長さにおける最小値が、胴体部開口部の縁部の厚みよりも大きいことを特徴とする請求項１２に記載の急須セット。
【請求項１４】
第２環状突部の後側の面（３６ｅ）が、支持部の軸線に対して直角をなすことを特徴とする請求項１２又は１３に記載の急須セット。
【請求項１５】
急須（５０）と、該急須に取り付ける急須用茶漉し（５）とを有する急須セットであって、
急須が、
茶葉を投入するための胴体部で、上側に上部開口部（５８）を有する胴体部（５４）と、
胴体部から突設された注ぎ口（６０）と、を有し、
胴体部には、注ぎ口側に設けられた開口部である胴体部開口部（５６）が形成され、
急須用茶漉しが、
支持部（３０）と、支持部に着脱する茶漉し本体（１０）とを有し、
支持部が、
内周面（３２ａ）の断面が円形を呈する筒状を呈し、一方の開口部側である前側から他方の開口部側である後側にいくに従い内径が大きくなる第１筒状部（３２）と、
第１筒状部の外周側に突出して形成された第１環状突部（３４）と、
第１筒状部の外周側に突出して形成され、第１環状突部よりも前側に第１環状突部と間隔を介して形成された第２環状突部（３６）と、を有し、支持部が、柔軟性のある材質により形成され、
茶漉し本体が、
液体通過用の穴部が周面に形成された筒状の第２筒状部で、少なくとも一方の開口部側である前側が円筒状に形成された第２筒状部（１２）と、
第２筒状部の他方の開口部側に設けられ、該他方の開口部側である後側からの茶葉の流入を防止するための閉じ部（２０）と、を有し、
第２筒状部の一方の開口部側の円筒状における外径が、第１筒状部の最小内径よりも大きく形成され、
胴体部開口部に支持部を第１筒状部における前側を胴体部の外側にするとともに該胴体部開口部の縁部（５７）を第１環状突部と第２環状突部の間に位置させて取り付け、さらに、第２筒状部の前側を支持部の第１筒状部に第１筒状部の後側から挿通させた状態では、第１筒状部における最小内径の部分が外周側に広がり、第２筒状部が第１筒状部に支持され、第２筒状部が第１筒状部に支持された状態では、第１環状突部が縁部の内側の面に接しているとともに第２環状突部が縁部の外側の面に接していることを特徴とする急須セット。
【発明の詳細な説明】
【技術分野】
【０００１】
本発明は、急須用の茶漉しに関するものである。
【背景技術】
【０００２】
従来においては、特許文献１に記載の茶漉し付き急須、特許文献２に記載の急須、特許文献３に記載の茶漉、特許文献４に記載の茶漉が知られている。
【０００３】
ここで、特許文献１の茶漉し付き急須においては、急須の胴体内壁１ａに茶漉し４を係止するための係止片３が注ぎ口開口部両側に設けられ、該係止片３にステンレスの網体で形成された茶漉し４が嵌合できるようになっている。
【０００４】
また、特許文献２の急須においては、長さが急須本体と注口を連通する通湯口の上側内周長あるいは下側内周長のうち、短い方の内周長より長く、かつ幅が通湯口径よりも長い平帯状となつていると共にステンレス等の弾性に富む素材で編成されている網体を長手方向に巻回湾曲させて環状網体２となし、該環状網体の少なくとも上下端を前記通湯口を挾んで急須本体の内周壁面に圧接させて保持すべく装着してなるものが存在する。
【０００５】
また、特許文献３の茶漉においては、底面部を半球状とした任意深絞りのステンレス網製の漉具１の開口縁が外側方に短寸状に曲折され、且つこの曲折縁鍔１ａが別途用意される可撓性の短寸蛇腹状の取付筒２における周凹溝内に嵌合されていると共に急須注ぎ口孔部に周回凹設されてなる係合条溝５内に、前記取付筒２の被装されている前記漉具１の曲折縁鍔１ａが該取付筒２と共に押圧縮状に嵌着されている。
【０００６】
また、特許文献４の茶漉においては、急須の胴体に設けられている円形の注出孔外側周面に対し、取付版部３ａと立上り周縁部３ｂと周縁鍔部３ｃとよりなる取付部材３を固着させ、取付部材３における周縁鍔部３ｃと胴体注出孔縁間に形成される周凹溝内に、茶漉４の周縁鍔４ａを嵌入係合させ、一部を割欠された弾性リングを周凹溝部に弾装させたものが存在する。
【先行技術文献】
【特許文献】
【０００７】
【特許文献１】実開平６−６６４５５号公報
【特許文献２】実公昭６１−２５７１６号公報
【特許文献３】実公昭６３−２０３８８号公報
【特許文献４】実公昭５６−１０２２０号公報
【発明の概要】
【発明が解決しようとする課題】
【０００８】
しかし、特許文献１に記載の茶漉し付き急須によれば、茶漉し４を嵌合するための一対の係止片を急須に設ける必要があり、汎用の急須には適用できないという問題がある。また、特許文献１に記載の茶漉し付き急須において、茶漉し４の着脱は可能ではあるものの、急須においては、蓋体を載せるための蓋体装着用座６が内側に突設されているため、実際には、茶漉し４の着脱は困難である。
【０００９】
また、特許文献２の急須においては、環状網体２を着脱することはできるものの、環状網体２は、網体の弾性復元力を利用した周方向拡開作用を利用して急須本体内周壁面に圧接保持されているので、実際には環状網体２の取り外しはそれほど容易ではなく、また、急須の周壁の形状・大きいに応じて環状網体２の形状・大きさを定めなければならないため、形状・大きさについて多くの種類の網体を用意する必要があり、コストがかかるという問題がある。
【００１０】
また、特許文献３の茶漉においては、曲折縁鍔１ａが取付筒２における周凹溝内に嵌合されていると共に急須注ぎ口孔部に周回凹設されてなる係合条溝５内に、前記取付筒２の被装されている前記漉具１の曲折縁鍔１ａが該取付筒２と共に押圧縮状に嵌着されているので、濃具１の取外しは困難であり、結果として、濃具１の着脱が困難となる。
【００１１】
また、特許文献４の茶漉においては、取付部材３における周縁鍔部３ｃと胴体注出孔縁間に形成される周凹溝内に、茶漉４の周縁鍔４ａを嵌入係合させるので、この場合も、茶漉し４の取外しは困難であり、結果として、濃具１の着脱が困難となる。
【００１２】
特許文献１〜４において、茶漉し（濃具）の着脱が困難であると、茶漉し自体の清掃が困難であるとともに、急須の注ぎ口の内側の清掃も困難であるという問題がある。
【００１３】
そこで、本発明は、急須との着脱が極めて容易で、これにより、茶漉し自体と注ぎ口の清掃が容易となるとともに、汎用の急須に適用できるとともに、急須の周壁の形状・大きさが異なる場合にも適用できて製造コストを低減させることができる急須用茶漉しを提供することを目的とするものである。
【課題を解決するための手段】
【００１４】
本発明は上記問題点を解決するために創作されたものであって、第１には、急須用茶漉しであって、支持部（３０）と、支持部に着脱する茶漉し本体（１０）とを有し、支持部が、内周面（３２ａ）の断面が円形を呈する筒状を呈し、一方の開口部側である前側から他方の開口部側である後側にいくに従い内径が大きくなる第１筒状部（３２）と、第１筒状部の外周側に突出して形成された第１環状突部（３４）と、第１筒状部の外周側に突出して形成され、第１環状突部よりも前側に第１環状突部と間隔を介して形成された第２環状突部（３６）と、を有し、支持部が、柔軟性のある材質により形成され、茶漉し本体が、液体通過用の穴部が周面に形成された筒状の第２筒状部で、少なくとも一方の開口部側である前側の端部領域が円筒状に形成された第２筒状部（１２）と、第２筒状部の他方の開口部側に設けられ、該他方の開口部側である後側からの茶葉の流入を防止するための閉じ部（２０）と、を有し、第２筒状部の該前側の端部領域における外径が、第１筒状部の最小内径よりも大きく形成され、急須における茶葉を投入するための胴体部（５４）に形成された開口部である胴体部開口部（５６）に支持部を第１筒状部における前側を胴体部の外側にするとともに該胴体部開口部の縁部（５７）を第１環状突部と第２環状突部の間に位置させて取り付け、さらに、第２筒状部の前側を支持部の第１筒状部に第１筒状部の後側から挿通させることにより、第１筒状部における最小内径の部分が外周側に広がり、第２筒状部が第１筒状部に支持される（「第２筒状部が第１筒状部に支持され、第２筒状部が第１筒状部に支持されることにより茶漉し本体が支持部に支持される」としてもよい）ことを特徴とする。
【００１５】
第１の構成の急須用茶漉しにおいては、茶漉し本体を支持部に対して挿脱するのみで着脱できるので、極めて容易に茶漉し本体を着脱することができる。茶漉し本体が支持部に支持された状態では、第１筒状部における最小内径の部分が外周側に広がって第１筒状部が第２筒状部を支持するので、第２筒状部が支持部にしっかりと固定される。
【００１６】
また、急須の胴体部の形状・大きさにかかわらず、胴体部に設けられた胴体部開口部が支持部が取付け可能な形状・大きさであればよいので、製造コストを低減させることができる。
【００１７】
また、第２には、上記第１の構成において、第１筒状部における第１環状突部と第２環状突部間の外周面（３２ｂ）が、円錐台形状の周面を呈することを特徴とする。よって、外周面部がテーパ状に形成されているので、胴体部開口部の径に差があっても、胴体部開口部の縁部が外周面部に接することができ、胴体部開口部の複数種類の大きさに対応することができる。
【００１８】
また、第３には、上記第１又は第２の構成において、第１環状突部の前側の面（３４ａ）が、外周側が内周側に対して後側に傾斜した円錐台状の周面を呈することを特徴とする。よって、急須の湾曲した胴体部における開口部の縁部の内側の面に沿って第１環状突部の前側の面が縁部の内側の面に接しやすく、第１環状突部の前側の面の外側の角部が縁部に対して邪魔となることがない。
【００１９】
また、第４には、上記第１又は第２の構成において、第１環状突部の前側の面（３４ａ）が、外周側が内周側に対して後側に傾斜した円錐台状の周面を呈し、第２環状突部の後側の面（３６ｅ）が、支持部の軸線に対して直角をなすことを特徴とする。よって、急須の湾曲した胴体部における開口部の縁部の内側の面に沿って第１環状突部の前側の面が縁部の内側の面に接しやすく、第１環状突部の前側の面の外側の角部が縁部に対して邪魔となることがない。また、第１環状突部と第２環状突部間の隙間が外周側にいくほど幅広となり、縁部を第１環状突部と第２環状突部間の隙間に配置するのが容易となる。
【００２０】
また、第５には、上記第１から第４までのいずれかの構成において、第２筒状部が全体に円筒状を呈することを特徴とする。よって、穴部を有する板状又はシート状部材を筒状に形成することにより第２筒状部を製造できるので、第２筒状部を低コストで製造することができる。
【００２１】
また、第６には、急須用茶漉しであって、支持部（３０）と、支持部に着脱する茶漉し本体（１０）とを有し、支持部が、内側に円錐台形状の空間を有する筒状の第１筒状部で、一方の開口部側である前側から他方の開口部側である後側にいくに従い内径が大きくなる第１筒状部（３２）と、第１筒状部の後側の端部から外周側に突出して形成された第１環状突部（３４）と、第１筒状部の前側の端部から外周側に突出して形成され、第１環状突部と間隔を介して形成された第２環状突部（３６）と、を有し、第１筒状部における第１環状突部と第２環状突部間の外周面（３２ｂ）が、円錐台形状の周面を呈し、第１環状突部の前側の面（３４ａ）が、外周側が内周側に対して後側に傾斜した円錐台状の周面を呈し、支持部が、柔軟性のある材質により形成され、茶漉し本体が、液体通過用の穴部が周面に形成された円筒状の第２筒状部（１２）と、第２筒状部の一方の開口部側である後側の開口部に設けられた閉じ部で、該後側の開口部からの茶葉の流入を防止するための閉じ部（２０）と、を有し、第２筒状部の外径が、第１筒状部の最小内径よりも大きく形成され、急須における茶葉を投入するための胴体部（５４）に形成された開口部である胴体部開口部（５６）に支持部を第１筒状部における前側を胴体部の外側にするとともに該胴体部開口部の縁部（５７）を第１環状突部と第２環状突部の間に位置させて取り付け、さらに、第２筒状部の前側を支持部の第１筒状部に第１筒状部の後側から挿通させることにより、第１筒状部における最小内径の部分が外周側に広がり、第２筒状部が第１筒状部に支持される（「第２筒状部が第１筒状部に支持され、第２筒状部が第１筒状部に支持されることにより茶漉し本体が支持部に支持される」としてもよい）ことを特徴とする。
【００２２】
第６の構成の急須用茶漉しにおいては、茶漉し本体を支持部に対して挿脱するのみで着脱できるので、極めて容易に茶漉し本体を着脱することができる。茶漉し本体が支持部に支持された状態では、第１筒状部における最小内径の部分が外周側に広がって第１筒状部が第２筒状部を支持するので、第２筒状部が支持部にしっかりと固定される。
【００２３】
また、急須の胴体部の形状・大きさにかかわらず、胴体部に設けられた胴体部開口部が支持部が取付け可能な形状・大きさであればよいので、製造コストを低減させることができる。
【００２４】
また、第１筒状部における第１環状突部と第２環状突部間の外周面が、円錐台形状の周面を呈していて、該外周面がテーパ状に形成されているので、胴体部開口部の径に差があっても、胴体部開口部の縁部が外周面に接することができ、胴体部開口部の複数種類の大きさに対応することができる。
【００２５】
また、第１環状突部の前側の面が、外周側が内周側に対して後側に傾斜した円錐台状の周面を呈するので、急須の湾曲した胴体部における開口部の縁部の内側の面に沿って第１環状突部の前側の面が縁部の内側の面に接しやすく、第１環状突部の前側の面の外側の角部が縁部に対して邪魔となることがない。
【００２６】
また、第２筒状部が円筒状を呈するので、穴部を有する板状又はシート状部材を筒状に形成することにより第２筒状部を製造できるので、第２筒状部を低コストで製造することができる。
【００２７】
また、第７には、上記第６の構成において、第２環状突部の後側の面（３６ｅ）が、支持部の軸線に対して直角をなすことを特徴とする。よって、第１環状突部と第２環状突部間の隙間が外周側にいくほど幅広となり、縁部を第１環状突部と第２環状突部間の隙間に配置するのが容易となる。
【００２８】
また、第８には、上記第１から第７までのいずれかの構成において、閉じ部が、第２筒状部の後側の開口部に着脱自在であることを特徴とする。よって、茶漉し本体を低コストで製造することができる。
【００２９】
また、第９には、上記第１から第８までのいずれかの構成において、閉じ部が、第２筒状部の後側の開口部を閉塞することを特徴とする。
【００３０】
また、第１０には、急須（５０）と、該急須に取り付ける急須用茶漉しで、第１又は２又は３又は４又は５又は６又は７又は８又は９の構成の急須用茶漉し（５）とを有する急須セットであって、急須が、茶葉を投入するための胴体部で、上側に上部開口部（５８）を有する胴体部（５４）と、胴体部から突設された注ぎ口（６０）と、を有し、胴体部には、注ぎ口側に設けられた開口部である胴体部開口部（５６）が形成され、胴体部開口部に支持部を第１筒状部における前側を胴体部の外側にするとともに該胴体部開口部の縁部（５７）を第１環状突部と第２環状突部の間に位置させて取り付け、さらに、第２筒状部の前側を支持部の第１筒状部に第１筒状部の後側から挿通させて第２筒状部が第１筒状部に支持された状態では、第１筒状部における第１環状突部と第２環状突部間の外周面が、胴体部開口部の縁部に接していることを特徴とする。
【００３１】
第１０の構成の急須セットにおいては、茶漉し本体を支持部に対して挿脱するのみで着脱できるので、極めて容易に茶漉し本体を着脱することができる。茶漉し本体が支持部に支持された状態では、第１筒状部における最小内径の部分が外周側に広がって第１筒状部が第２筒状部を支持するので、第２筒状部が支持部にしっかりと固定される。
【００３２】
また、急須の胴体部の形状・大きさにかかわらず、胴体部に設けられた胴体部開口部が支持部が取付け可能な形状・大きさであればよいので、製造コストを低減させることができる。
【００３３】
また、第１１には、上記第１０の構成において、第１環状突部と第２環状突部間の隙間で、支持部の軸線方向の隙間の長さにおける最小値が、胴体部開口部の縁部の厚みよりも大きいことを特徴とする。よって、胴体部開口部の径に応じて、縁部が外周面部と接する位置を調整することができる。
【００３４】
また、第１２には、急須（５０）と、該急須に取り付ける急須用茶漉し（５）とを有する急須セットであって、急須が、茶葉を投入するための胴体部で、上側に上部開口部（５８）を有する胴体部（５４）と、胴体部から突設された注ぎ口（６０）と、を有し、胴体部には、注ぎ口側に設けられた開口部である胴体部開口部（５６）が形成され、急須用茶漉しが、支持部（３０）と、支持部に着脱する茶漉し本体（１０）とを有し、支持部が、内側に円錐台形状の空間を有する筒状の第１筒状部で、一方の開口部側である前側から他方の開口部側である後側にいくに従い内径が大きくなる第１筒状部（３２）と、第１筒状部の後側の端部から外周側に突出して形成された第１環状突部（３４）と、第１筒状部の前側の端部から外周側に突出して形成され、第１環状突部と間隔を介して形成された第２環状突部（３６）と、を有し、第１筒状部における第１環状突部と第２環状突部間の外周面（３２ｂ）が、円錐台形状の周面を呈し、第１環状突部の前側の面（３４ａ）が、外周側が内周側に対して後側に傾斜した円錐台状の周面を呈し、支持部が、柔軟性のある材質により形成され、茶漉し本体が、液体通過用の穴部が周面に形成された円筒状の第２筒状部（１２）と、第２筒状部の一方の開口部側である後側の開口部に設けられた閉じ部で、該後側の開口部からの茶葉の流入を防止するための閉じ部（２０）と、を有し、第２筒状部の外径が、第１筒状部の最小内径よりも大きく形成され、胴体部開口部に支持部を第１筒状部における前側を胴体部の外側にするとともに該胴体部開口部の縁部（５７）を第１環状突部と第２環状突部の間に位置させて取り付け、さらに、第２筒状部の前側を支持部の第１筒状部に第１筒状部の後側から挿通させることにより、第１筒状部における最小内径の部分が外周側に広がり、第２筒状部が第１筒状部に支持され、第２筒状部が第１筒状部に支持された状態では（「第２筒状部が第１筒状部に支持され、第２筒状部が第１筒状部に支持されることにより茶漉し本体が支持部に支持され、茶漉し本体が支持部に支持された状態では」としてもよい）、第１筒状部における第１環状突部と第２環状突部間の外周面が、胴体部開口部の縁部に接していることを特徴とする。
【００３５】
第１２の構成の急須セットにおいては、茶漉し本体を支持部に対して挿脱するのみで着脱できるので、極めて容易に茶漉し本体を着脱することができる。茶漉し本体が支持部に支持された状態では、第１筒状部における最小内径の部分が外周側に広がって第１筒状部が第２筒状部を支持するので、第２筒状部が支持部にしっかりと固定される。
【００３６】
また、急須の胴体部の形状・大きさにかかわらず、胴体部に設けられた胴体部開口部が支持部が取付け可能な形状・大きさであればよいので、製造コストを低減させることができる。
【００３７】
また、第１筒状部における第１環状突部と第２環状突部間の外周面が、円錐台形状の周面を呈していて、該外周面がテーパ状に形成されているので、胴体部開口部の径に差があっても、胴体部開口部の縁部が外周面に接することができ、胴体部開口部の複数種類の大きさに対応することができる。
【００３８】
また、第１環状突部の前側の面が、外周側が内周側に対して後側に傾斜した円錐台状の周面を呈するので、急須の湾曲した胴体部における開口部の縁部の内側の面に沿って第１環状突部の前側の面が縁部の内側の面に接しやすく、第１環状突部の前側の面の外側の角部が縁部に対して邪魔となることがない。
【００３９】
また、第２筒状部が円筒状を呈するので、穴部を有する板状又はシート状部材を筒状に形成することにより第２筒状部を製造できるので、第２筒状部を低コストで製造することができる。
【００４０】
また、茶漉し本体が支持部により支持された状態では、第１筒状部における第１環状突部と第２環状突部間の外周面が、胴体部開口部の縁部に接するので、支持部と縁部の間に隙間が形成されない。
【００４１】
また、第１３には、上記第１２の構成において、第１環状突部と第２環状突部間の隙間で、支持部の軸線方向の隙間の長さにおける最小値が、胴体部開口部の縁部の厚みよりも大きいことを特徴とする。よって、胴体部開口部の径に応じて、縁部が外周面部と接する位置を調整することができる。
【００４２】
また、第１４には、上記第１２又は第１３の構成において、第２環状突部の後側の面（３６ｅ）が、支持部の軸線に対して直角をなすことを特徴とする。よって、第１環状突部と第２環状突部間の隙間が外周側にいくほど幅広となり、縁部を第１環状突部と第２環状突部間の隙間に配置するのが容易となる。
【００４３】
また、第１５には、急須（５０）と、該急須に取り付ける急須用茶漉し（５）とを有する急須セットであって、急須が、茶葉を投入するための胴体部で、上側に上部開口部（５８）を有する胴体部（５４）と、胴体部から突設された注ぎ口（６０）と、を有し、胴体部には、注ぎ口側に設けられた開口部である胴体部開口部（５６）が形成され、急須用茶漉しが、支持部（３０）と、支持部に着脱する茶漉し本体（１０）とを有し、支持部が、内周面（３２ａ）の断面が円形を呈する筒状を呈し、一方の開口部側である前側から他方の開口部側である後側にいくに従い内径が大きくなる第１筒状部（３２）と、第１筒状部の外周側に突出して形成された第１環状突部（３４）と、第１筒状部の外周側に突出して形成され、第１環状突部よりも前側に第１環状突部と間隔を介して形成された第２環状突部（３６）と、を有し、支持部が、柔軟性のある材質により形成され、茶漉し本体が、液体通過用の穴部が周面に形成された筒状の第２筒状部で、少なくとも一方の開口部側である前側が円筒状に形成された第２筒状部（１２）と、第２筒状部の他方の開口部側に設けられ、該他方の開口部側である後側からの茶葉の流入を防止するための閉じ部（２０）と、を有し、第２筒状部の一方の開口部側の円筒状における外径が、第１筒状部の最小内径よりも大きく形成され、胴体部開口部に支持部を第１筒状部における前側を胴体部の外側にするとともに該胴体部開口部の縁部（５７）を第１環状突部と第２環状突部の間に位置させて取り付け、さらに、第２筒状部の前側を支持部の第１筒状部に第１筒状部の後側から挿通させた状態では、第１筒状部における最小内径の部分が外周側に広がり、第２筒状部が第１筒状部に支持され、第２筒状部が第１筒状部に支持された状態では（「第２筒状部が第１筒状部に支持され、第２筒状部が第１筒状部に支持されることにより茶漉し本体が支持部に支持され、茶漉し本体が支持部に支持された状態では」としてもよい）、第１環状突部が縁部の内側の面に接しているとともに第２環状突部が縁部の外側の面に接していることを特徴とする。
【００４４】
第１５の構成の急須セットにおいては、茶漉し本体を支持部に対して挿脱するのみで着脱できるので、極めて容易に茶漉し本体を着脱することができる。茶漉し本体が支持部に支持された状態では、第１筒状部における最小内径の部分が外周側に広がって第１筒状部が第２筒状部を支持するので、第２筒状部が支持部にしっかりと固定される。
【００４５】
また、急須の胴体部の形状・大きさにかかわらず、胴体部に設けられた胴体部開口部が支持部が取付け可能な形状・大きさであればよいので、製造コストを低減させることができる。
【００４６】
また、茶漉し本体が支持部により支持された状態では、第１環状突部が縁部の内側の面に接するとともに第２環状突部が縁部の外側の面に接しているので、縁部の端部と支持部の第１筒状部の外周面と隙間があってもよく、開口部の複数種類の大きさに対応することができ、急須用茶漉しの製造コストを低減させることができる。
【００４７】
また、第１６には、第１５の構成において、第２筒状部が第１筒状部に支持された状態では、縁部の端部と第１筒状部の外周面との間に隙間が設けられていることを特徴とするものとしてもよい。
【００４８】
また、第１７には、上記第１５又は第１６の構成において、閉じ部が、第２筒状部の後側の開口部に着脱自在に設けられ、該後側の開口部を閉塞することを特徴とするものとしてもよい。
【００４９】
また、第１８には、上記第１０から第１７までのいずれかの構成において、急須には、胴体部の上部開口部を開閉するための蓋部（７０）が設けられていることを特徴とするものとしてもよい。
【発明の効果】
【００５０】
本発明に基づく急須用茶漉し及び急須セットによれば、茶漉し本体を支持部に対して挿脱するのみで着脱できるので、極めて容易に茶漉し本体を着脱することができる。茶漉し本体が支持部に支持された状態では、第１筒状部における最小内径の部分が外周側に広がって第１筒状部が第２筒状部を支持するので、第２筒状部が支持部にしっかりと固定される。
【００５１】
また、急須の胴体部の形状・大きさにかかわらず、胴体部に設けられた胴体部開口部が支持部が取付け可能な形状・大きさであればよいので、製造コストを低減させることができる。
【図面の簡単な説明】
【００５２】
【図１】急須用茶漉しの前方斜視図である。
【図２】急須用茶漉しの後方斜視図である。
【図３】茶漉し本体の前方斜視図である。
【図４】茶漉し本体の後方斜視図である。
【図５】茶漉し本体における筒状部の斜視図である。
【図６】茶漉し本体における筒状部の平面図である。
【図７】茶漉し本体における筒状部の底面図である。
【図８】茶漉し本体における閉じ部の前方斜視図である。
【図９】茶漉し本体における閉じ部の後方斜視図である。
【図１０】茶漉し本体における閉じ部の側面図である。
【図１１】茶漉し本体における閉じ部の正面図である。
【図１２】図１０のＡ−Ａ断面図である。
【図１３】支持部の前方斜視図である。
【図１４】支持部の後方斜視図である。
【図１５】支持部の側面図である。
【図１６】支持部の正面図である。
【図１７】図１５のＢ−Ｂ断面図である。
【図１８】急須の斜視図である。
【図１９】急須の要部横断面図である。
【図２０】支持部を取り付けた状態を示す急須本体の要部横断面図である。
【図２１】急須に支持部を取り付けるとともに、支持部に茶漉し本体を支持させた状態を示す急須本体の要部横断面図である。
【図２２】支持部を取り付けた状態を示す急須本体の要部縦断面図である。
【図２３】支持部を取り付けるとともに、支持部に茶漉し本体を支持させた状態を示す急須本体の斜視図である。
【図２４】支持部を取り付けるとともに、支持部に茶漉し本体を支持させた状態を示す急須の要部縦断面図である。
【図２５】支持部の他の例を示す図であり、支持部を取り付けた状態を示す急須本体の要部横断面図である。
【図２６】茶漉し本体の他の例の斜視図である。
【発明を実施するための形態】
【００５３】
本発明に基づく急須用茶漉し５は、急須に装着して使用するものであり、図１〜図１７に示すように、茶漉し本体１０と、急須に取り付けるとともに、茶漉し本体１０を支持する支持部３０とを有している。
【００５４】
茶漉し本体１０は、図１〜図４に示すように、多数の穴部が形成されるとともに一方の端部が閉塞された筒状を呈していて、筒状部１２と、閉じ部２０とを有している。
【００５５】
ここで、筒状部（第２筒状部）１２は、図５〜図７に示すように、多数（「複数」としてもよい）の穴部（液体通過用の穴部）（「開口部」としてもよい）１３が周面に形成された筒状部材（具体的には、円筒状部部材）であり、筒状部１２の両側の端部が開口して形成されている。この筒状部１２は、板状の穴あきメタル（板状のパンチングメタルとしてもよい）やメッシュシートを筒状に形成して端部同士を溶接等により接合させて形成したものである。つまり、筒状部１２は、周方向の両側の端部が接合する接合部１２ａを有している。筒状部１２は、金属製（例えば、ステンレス製又はチタン製）である。筒状部１２の周面に設けられた穴部は、急須５０内の茶葉が通過できない大きさに形成され、円形に形成されている。なお、筒状部１２を合成樹脂により成形して、多数の穴部が形成された筒状に形成してもよい。筒状部１２の周面に設けられた穴部は円形であるとしたが、他の形状であってもよい。
【００５６】
なお、筒状部１２を板状の穴あきメタル（板状のパンチングメタルとしてもよい）やメッシュシート等の穴部を有する板状又はシート状部材を筒状に形成することにより製造できるので、筒状部１２を低コストで製造することができる。
【００５７】
また、閉じ部２０は、筒状部１２の一方（後側）の開口端部を着脱自在に閉塞するいわばキャップであり、図８〜図１２に示すように、本体部２２と、本体部２２から連設された挿入部２４とを有している。この閉じ部２０は、合成樹脂（例えば、シリコン樹脂）により全体に一体に形成されている。
【００５８】
ここで、本体部２２は、円形の平板状を呈する板状部２２ａと、板状部２２ａの周端から連設され、環状を呈する環状部２２ｂとを有し、本体部２２の外径Ｌ２２は、筒状部１２の外径Ｌ１２ａ以上の長さに形成されている。
【００５９】
また、挿入部２４は、環状部２２ｂの端部（板状部２２ａ側とは反対側（Ｘ１側）の端部）から連設され、環状部２２ｂから連設された筒状（具体的には、円筒状）の本体部２４ａと、本体部２４ａの外周面に沿って形成された複数の突状部２４ｂとを有している。突状部２４ｂは環状を呈し、その断面は、Ｘ１側が軸線方向Ｊに対して傾斜した略直角三角形を呈し、突状部２４ｂの外径Ｌ２４は、筒状部１２の内径Ｌ１２ｂよりも若干大きく形成され、挿入部２４を筒状部１２に挿入した際に、突状部２４ｂと筒状部１２の内側の面が接触して、挿入部２４が筒状部１２から容易には外れないようになっている。
【００６０】
茶漉し本体１０においては、筒状部１２における閉じ部２０を取り付けた側とは反対側の先端部１２−１が開口している。
【００６１】
閉じ部２０には、液体が通過するための穴部は形成されていないが、筒状部１２に液体通過用の穴部が形成されているので、特に必要ないといえる。なお、閉じ部２０における本体部２２に液体通過用の穴部を形成してもよい。つまり、該穴部は、急須５０内の茶葉が通過できない大きさに形成される。
【００６２】
なお、閉じ部２０に液体が通過する穴部を形成せずに筒状部１２の開口端部を閉塞する構成とした場合には、閉じ部２０に液体通過用の穴部を形成する場合に比べて、閉じ部２０を低コストで製造することができる。
【００６３】
なお、筒状部１２は、円筒状であるとしたが、少なくとも前側（先端部１２−１側）の端部領域が円筒状に形成されていればよい。例えば、前側の端部領域が円筒状で他の領域が四角筒状であってもよく、その場合には、該筒状部１２の他の領域の四角筒状に合わせて、閉じ部２０の本体部２２や挿入部２４は、断面四角形状形成される。
【００６４】
また、支持部３０は、図１３〜図１７に示すように、全体に略筒状を呈し、テーパ筒状部３２と、テーパ筒状部３２の周面の後側（Ｘ２側）から周状に突出して形成された環状突部３４と、テーパ筒状部３２の周面の前側（Ｘ１側）から周状に突出して形成された環状突部３６とを有しており、支持部３０は、合成樹脂（特に、柔軟性のある合成樹脂（「柔軟性及び弾力性を有する合成樹脂」としてもよい）、例えば、シリコン樹脂）により全体に一体に形成されている。なお、支持部３０の素材として、シリコン樹脂以外にウレタン樹脂、エポキシ樹脂等柔軟性のある材質（「柔軟性及び弾力性を有する材質」としてもよい）であればよい。
【００６５】
ここで、テーパ筒状部（第１筒状部）３２は、テーパ状の筒状部であり、その外周面が円錐台形状の周面を呈し、その内周面は、面取り部３２ｅを除き、外周面と平行に形成されている。つまり、テーパ筒状部３２は、面取り部３２ｅを除き、前側（一方の開口部側）から後側（他方の開口部側）に向けて内径及び外径が大きくなるように形成されている。
【００６６】
具体的には、テーパ筒状部３２の内側（つまり、内周面部３２ａの内側）には、円錐台形状の空間が設けられている（つまり、内周面部３２ａの横断面は円形となっている。）。また、外周面部３２ｂは、円錐台形状の周面を呈し、その内周面部３２ａと外周面部３２ｂとは互いに平行で（つまり、外周面部３２ｂの横断面は円形となっている）、図１７に示す縦断面図においては、内周面部３２ａを示す直線と外周面部を示す直線は平行となっている。また、テーパ筒状部３２の後面部３２ｃと前面部３２ｄとは平面状に形成され、互いに平行に形成されている。また、テーパ筒状部３２における前側の内側の角部は、斜めに（つまり、内周面部３２ａと前面部３２ｄに対して斜めに）面取りすることにより面取り部３２ｅが形成されている。つまり、面取り部３２ｅの内側には、逆円錐台形状の空間が設けられている。例えば、面取り部３２ｅの内側の辺部は、図１６に示すように、円形となっている。
【００６７】
つまり、内周面部３２ａの前側の端部の径（内径）Ｌａは、内周面部３２ａの後側の端部の径（内径）Ｌｂよりも小さく形成されている。また、外周面部３２ｂの前側の端部の径（外径）Ｌｃは、外周面部３２ｂの後側の端部の径（外径）Ｌｄよりも小さく形成されている。内周面部３２ａの前側の端部の径Ｌａは、テーパ筒状部３２の最小内径となる。
【００６８】
また、環状突部（第１環状突部）３４は、テーパ筒状部３２の後側の端部から外周側に突出して形成され、環状を呈している。この環状突部３４は、テーパ筒状部３２の外周面部３２ｂから連設された前面部３４ａと、前面部３４ａの外周から後側に連設された側面部３４ｂと、側面部３４ｂの後端から内周側に連設された後面部３４ｃとを有している。環状突部３４とテーパ筒状部３２の境界は図１７に示す二点鎖線に示す位置となる。前面部３４ａは、環状突部３４の前側の面である。
【００６９】
ここで、前面部３４ａは、円環状を呈し、支持部３０の軸線Ｊに対して外周側が内周側に対して後側に傾斜した円錐台状の周面を呈し（つまり、テーパ状を呈している）、図１７に示す断面図においては、前面部３４ａは、軸線Ｊを介して線対称に形成され、内側から外側に向けて後側に傾斜する直線状となっている。この前面部３４ａが外周側が内周側に対して後側に傾斜した円錐台状の周面を呈しているのは、急須５０の胴体部５４の内側の面が略円弧状に湾曲しているためであり、これにより、湾曲した胴体部５４における開口部５６の縁部５７の内側の面に沿って前面部３４ａが縁部５７の内側の面に接しやすく、前面部３４ａと側面部３４ｂの角部が縁部５７に対して邪魔となることがない。つまり、前面部３４ａが後面部３４ｃと平行に形成されている場合には、縁部５７の端部が外周面部３２ｂに接する際に、前面部３４ａと側面部３４ｂの角部が邪魔となって外周面部３２ｂにおける環状突部３４側の領域に接することが困難となるが、前面部３４ａが上記のように形成されているので、縁部５７の端部が外周面部３２ｂにおける環状突部３４側の領域に接することができる。
【００７０】
また、前面部３４ａが外周側が内周側に対して後側に傾斜した円錐台状の周面を呈するので、環状突部３４と環状突部３６間の隙間（前面部３４ａと環状突部３６の後面部３６ｅとの間の隙間）が外周側にいくほど幅広となり、縁部５７を環状突部３４と環状突部３６間の隙間に配置するのが容易となる。
【００７１】
また、側面部３４ｂは、軸線Ｊを中心とした円柱状の周面を呈し、図１７に示す断面図においては、側面部３４ｂは、軸線Ｊと平行で軸線Ｊを介して左右対称の直線状を呈している。また、側面部３４ｂは、平面視においては、図１６に示すように円形となっている。
【００７２】
後面部３４ｃは、軸線Ｊに対して直角をなす円環状を呈し、図１７に示す断面図においては、軸線Ｊと直角で軸線Ｊに対して左右対称の直線状を呈している。この後面部３４ｃは、テーパ筒状部３２の後面部３２ｃと同一平面状（つまり、面一）を呈している。
【００７３】
また、環状突部（第２環状突部）３６は、テーパ筒状部３２の前側の端部から外周側に突出して形成され、環状を呈している。この環状突部３６は、テーパ筒状部３２の前面部３２ｄから連設された前面部３６ａと、前面部３６ａの外周から連設された面取り部３６ｂと、面取り部３６ｂの外周から後側に連設された側面部３６ｃと、側面部３６ｃの後端から連設された面取り部３６ｄと、面取り部３６ｄの内周から連設された後面部３６ｅと、後面部３６ｅの内周側の端部から連設されるとともに、外周面部３２ｂの前側の端部から連設された傾斜面部３６ｆと、を有している。環状突部３６とテーパ筒状部３２の境界は図１８に示す一点鎖線に示す位置となる。後面部３６ｅは、環状突部３６の後側の面である。
【００７４】
ここで、前面部３６ａは、軸線Ｊに対して直角をなす円環状を呈し、図１７に示す断面図においては、軸線Ｊと直角で軸線Ｊに対して左右対称の直線状を呈している。この前面部３６ａは、テーパ筒状部３２の前面部３２ｄと同一平面状（つまり、面一）を呈している。
【００７５】
また、面取り部３６ｂは、円環状を呈し、軸線Ｊに対して外周側が内周側に対して後側に傾斜した円錐台状の周面を呈し、図１７に示す断面図においては、面取り部３６ｂは、軸線Ｊを介して線対称に形成され、内側から外側に向けて後側に傾斜する直線状となっている。
【００７６】
また、側面部３６ｃは、軸線Ｊを中心とした円柱状の周面を呈し、図１７に示す断面図においては、側面部３６ｃは、軸線Ｊと平行で軸線Ｊを介して左右対称の直線状を呈している。また、側面部３６ｃは、平面視においては、図１６に示すように円形となっている。
【００７７】
また、面取り部３６ｄは、円環状を呈し、軸線Ｊに対して内周側が外周側に対して後側に傾斜した円錐台状の周面を呈し、図１７に示す断面図においては、面取り部３６ｄは、軸線Ｊを介して線対称に形成され、外側から内側に向けて後側に傾斜する直線状となっている。
【００７８】
また、後面部３６ｅは、軸線Ｊに対して直角（略直角としてもよい）をなす円環状を呈し、図１７に示す断面図においては、軸線Ｊと直角で軸線Ｊに対して左右対称の直線状を呈している。
【００７９】
また、傾斜面部３６ｆは、幅狭の円環状を呈し、軸線Ｊに対して内周側が外周側に対して後側に傾斜した円錐台状の周面を呈し、図１７に示す断面図においては、傾斜面部３６ｆは、軸線Ｊを介して線対称に形成され、外側から内側に向けて後側に傾斜する直線状となっている。
【００８０】
環状突部３４の側面部３４ｂは、環状突部３６の側面部３６ｃよりも外周側に位置している。つまり、環状突部３４の外径は、環状突部３６の外径よりも大きく形成されている。
【００８１】
なお、支持部３０の大きさと茶漉し本体１０の筒状部１２の大きさの関係を説明すると、茶漉し本体１０を支持部３０に装着した際に、筒状部１２が支持部３０の内周面部３２ａの前側を外周側に押して、テーパ筒状部３２における前側（環状突部３６側）の部分がテーパ筒状部３２の後側の部分に対して外側に屈曲して、筒状部１２を支持部３０にしっかりと固定するとともに、外周面部３２ｂを急須５０における急須本体５２の開口部５６の縁部５７に密着しやすくするので、内周面部３２ａの前側の端部の径Ｌａは、筒状部１２の外径Ｌ１２ａよりも小さく、また、筒状部１２は、支持部３０内に挿通するので、少なくとも内周面部３２ａの後側の端部の径Ｌｂは、筒状部１２の外径Ｌ１２ａ以下の大きさである。つまり、Ｌａ＜Ｌ１２ａ≦Ｌｂとなっている。さらに、筒状部１２を支持部３０内に挿入しやすくするためには、内周面部３２ａの後側の端部の径Ｌｂは、筒状部１２の外径Ｌ１２ａよりも小さいのが好ましいため、好ましくは、Ｌａ＜Ｌ１２ａ＜Ｌｂである。
【００８２】
また、急須用茶漉し５を取り付ける急須５０は、いわゆる一般的な急須であり、図１９〜図２４に示すように、急須本体５２と、蓋部７０とを有し、急須本体５２は、胴体部５４と、胴体部５４から突設された注ぎ口６０と把手部６２とを有している。胴体部５４の側面部における注ぎ口６０が設けられた領域には、開口部（胴体部開口部）５６が設けられ、開口部５６の縁部５７は円形に形成されている。つまり、開口部５６は、胴体部５４における注ぎ口６０側に設けられ、胴体部５４内の空間と注ぎ口６０内の空間を連通するように形成されている。急須５０と急須用茶漉し５とによって急須セットが構成される。
【００８３】
ここで、開口部５６の大きさと支持部３０の大きさの関係を説明すると、開口部５６の径の大きさをＲとした場合に、支持部３０を開口部５６に装着した状態では、支持部３０のテーパ筒状部３２における外周面部３２ｂは開口部５６の縁部５７と接するので、開口部５６の径Ｒは、外周面部３２ｂの後側の端部の径Ｌｄ以下の大きさであり（Ｒ≦Ｌｄ）、さらに、茶漉し本体１０を支持部３０に装着した際に、筒状部１２が支持部３０の内周面部３２ａの前側を外周側に押して、外周面部３２ｂを開口部５６の縁部５７に密着させるので、開口部５６の径Ｒは、外周面部３２ｂの前側の端部の径Ｌｃに外周面部３２ｂが外周側に押された分（Ｌα）を加算した値以上の値となる。ここで、外周面部３２ｂが外周側に押された分（Ｌα）は、筒状部１２の外径Ｌ１２ａから内周面部３２ａの前側の端部の径Ｌａを減算した値の１／２（つまり、（Ｌ１２ａ−Ｌａ）／２）となるので、開口部５６の径Ｒは、Ｌｃ＋（Ｌ１２ａ−Ｌａ）／２以上の値となる。つまり、Ｌｃ＋（Ｌ１２ａ−Ｌａ）／２≦Ｒ≦Ｌｄとなる。つまり、テーパ筒状部３２がテーパ状に形成されているので、開口部５６の径Ｒに若干の違いがあっても、外周面部３２ｂに接することができ（つまり、径Ｒが大きい場合には、外周面部３２ｂにおける環状突部３４側に接するようにし、径Ｒが小さい場合には、外周面部３２ｂにおける環状突部３６側に接するようにする）、開口部５６の複数種類の大きさに対応することができる。
【００８４】
なお、茶漉し本体１０を支持部３０に装着する際に、支持部３０自身が縮むことにより、テーパ筒状部３２が屈曲しなくても茶漉し本体１０を支持部３０に装着できることも考えられるが、筒状部１２が確実に支持部３０に挿通できるようにするために、Ｌｃ＋（Ｌ１２ａ−Ｌａ）／２≦Ｒを満たして、テーパ筒状部３２が屈曲できるようにするのが好ましい。
【００８５】
また、環状突部３４と環状突部３６間の隙間Ｌｇの長さは、急須５０の開口部５６の縁部５７の厚みＬ５７よりも大きく形成され（Ｌｇ＞Ｌ５７）、支持部３０を開口部５６に取り付けた際に、縁部５７の外側の面と環状突部３６間と縁部５７の内側の面と環状突部３４間のいずれか一方又は両方に隙間が形成されるようになっている。なお、厚みＬ５７は、開口部５６の軸線Ｊ（図１９参照）に沿った縁部５７の厚み方向の長さである。これにより、開口部５６の径に応じて、縁部５７が外周面部３２ｂと接する位置を調整することができる。つまり、開口部５６の径が大きい場合には、縁部５７が外周面部３２ｂの環状突部３４側に接するようにし、開口部５６の径の大きさが小さい場合には、縁部５７が外周面部３２ｂの環状突部３６側に接するようにする。
【００８６】
また、環状突部３４と環状突部３６間の隙間Ｌｇの長さは、急須５０の開口部５６の縁部５７の厚みＬ５７よりも大きく形成されているので、縁部５７を環状突部３４と環状突部３６間に位置させやすく、よって、支持部３０の縁部５７への取付けが容易である。
【００８７】
なお、該隙間Ｌｇは、外周面部３２ｂと環状突部３４の前面部３４ａの境界における任意の位置から環状突部３６の後面部３６ｅまでの軸線Ｊに沿った長さであり、環状突部３４と環状突部３６間の軸線Ｊ方向の隙間の長さにおける最小値である。
【００８８】
上記構成の急須用茶漉し５の使用方法について説明する。まず、支持部３０を急須５０の開口部５６に取り付ける。すなわち、図２０、図２１に示すように、環状突部３６が急須５０の外側に向くとともに、環状突部３４が急須５０の内側に向いた状態で、環状突部３４と環状突部３６間の位置に縁部５７が配置されるようにすることにより、支持部３０を開口部５６に取り付ける。
【００８９】
支持部３０の取付けに際しては、急須本体５２の胴体部５４の内側から環状突部３６側を開口部５６に挿通して取り付ける。なお、支持部３０は柔軟性のある合成樹脂により形成され、また、環状突部３６の外径Ｌｅは、環状突部３４の外径Ｌｆよりも小さく形成されているので、環状突部３６の開口部５６への挿通は容易であり、支持部３０の取付けを容易に行なうことができる。
【００９０】
支持部３０を開口部５６に取り付けた状態では、縁部５７の内側には環状突部３４が位置し、縁部５７の外側には環状突部３６が位置しているので、支持部３０が縁部５７から容易に外れることがない。また、支持部３０を開口部５６に取り付けた状態では、縁部５７が外周面部３２ｂに接するので、支持部３０が開口部５６に安定した状態で取り付けられる。なお、支持部３０を開口部５６に取り付けた状態では、外周面部３２ｂは縁部５７に接していて、支持部３０と縁部５７の間には隙間が設けられていない。
【００９１】
また、環状突部３４は、胴体部５４の内側の面の湾曲度合いに応じてテーパ筒状部３２に対して後側に湾曲する。例えば、図２０、図２１の場合には、胴体部５４の周壁は、横方向の湾曲度合いよりも縦方向の湾曲度合いの方が大きいので、図２０では、環状突部３４はテーパ筒状部３２に対して湾曲していないが、図２１では、環状突部３４はテーパ筒状部３２に対して湾曲している。
【００９２】
次に、図２２〜図２４に示すように、茶漉し本体１０を支持部３０に取り付ける。つまり、茶漉し本体１０を急須５０の胴体部５４内に配置し、筒状部１２を支持部３０に挿通する。その際、筒状部１２における閉じ部２０が設けられている側とは反対側の端部を支持部３０に挿通する。すると、筒状部１２が支持部３０の内周面部３２ａの前側を外周側に押して、テーパ筒状部３２が前側（環状突部３６側）の部分がテーパ筒状部３２の後側の部分に対して外側に屈曲して（特に、テーパ筒状部３２における最小内径の部分が外周側に広がり）、筒状部１２がテーパ筒状部３２に支持されて、筒状部１２が支持部３０にしっかりと固定されるとともに、外周面部３２ｂが開口部５６の縁部５７に密着しやすくなり、外周面部３２ｂが縁部５７に密着することにより、支持部３０が開口部５６の縁部５７にしっかりと固定される。つまり、少なくとも、筒状部１２がテーパ筒状部３２に支持された状態では、外周面部３２ｂが縁部５７に接しているといえる。また、筒状部１２の先端部１２−１（閉じ部２０側とは反対側の端部）は、注ぎ口６０の内部に配置される。
【００９３】
茶漉し本体１０の筒状部１２を支持部３０に挿通させる長さＬ１２−１（支持部３０の後面部３４ｃの位置から筒状部１２の先端までの長さ）は、茶漉し本体１０が支持されるのに十分な長さとすればよく、必要以上に注ぎ口６０側に差し込む必要はない。少なくとも長さＬ１２−１は、筒状部１２の軸線方向の長さにおける長さＬ１２−１を減算した長さＬ１２−２よりも短くする。よって、茶漉し本体１０は、支持部３０から急須本体５２の内側に向けて突出した状態で急須本体５２に取り付けられる。以上のようにして、急須用茶漉し５が急須５０の胴体部５４に取り付けられる。
【００９４】
急須用茶漉し５が急須５０の胴体部５４に取り付けられた状態で、急須５０の胴体部５４内に茶葉を入れるとともに、お湯等の液体を注いで、蓋部７０により急須本体５２の上部開口部５８を閉じた状態とする。
【００９５】
その後、把手部６２を持って、注ぎ口６０を下側にして急須５０を傾けることにより、茶飲料が注ぎ口６０の先端の排出穴６１から排出される。つまり、胴体部５４に注がれた液体は、筒状部１２の穴部を通過して茶漉し本体１０内に至り、さらに、筒状部１２の先端部１２ａから注ぎ口６０に至り、排出穴６１から排出される。
【００９６】
なお、支持部３０の外周面部３２ｂは、縁部５７に接していて、支持部３０と縁部５７の間には隙間が設けられていないので、胴体部５４内の液体は、支持部３０と縁部５７の間から流出することがなく、胴体部５４内の液体は、茶漉し本体１０の筒状部１２のみを通って注ぎ口６０に至る。なお、胴体部５４内の茶葉は、筒状部１２の周面の穴部が茶葉が通過できない大きさに形成されており、また、筒状部１２の内側の端部は閉じ部２０により塞がれた状態となっているので、茶漉し本体１０内に入り込むことがない。
【００９７】
また、注ぎ口６０を下側にして急須５０を傾けると、胴体部５４内の茶葉が、支持部３０側に集まるが、茶漉し本体１０は、支持部３０から急須本体５２の内側に向けて突出した状態で急須本体５２に取り付けられているので、茶葉が筒状部１２における支持部３０よりも内側の部分（長さＬ１２−２の部分）の全てを覆ってしまうおそれがない。つまり、急須５０を水平状態にして、茶葉とお湯等の液体を投入した際には、茶葉は胴体部５４の底板部に集まっており、その状態から、注ぎ口６０を下側にして急須５０を傾けると、茶葉は筒状部１２の急須５０における底部側に移動するので、液体は、筒状部１２の底部以外の部分から筒状部１２内に流入することができる。また、筒状部１２の長さ（軸線方向の長さ）を通常の場合の茶葉の量で筒状部１２における支持部３０よりも内側の部分を覆うことがない長さに形成することにより、胴体部５４内の液体が茶葉に遮られて注ぎ口６０から注ぐことができないという事態が生じることがない。
【００９８】
茶漉し本体１０を清掃する場合や新たな茶漉し本体１０に取り替える場合には、茶漉し本体１０を支持部３０から取り外すが、茶漉し本体１０を支持部３０に対して胴体部５４内に向けてスライドさせるのみで茶漉し本体１０を支持部３０から取り外すことができる。清掃後の茶漉し本体１０や新たな茶漉し本体１０は、上記と同様に、筒状部１２を支持部３０に挿通して取り付ければよい。
【００９９】
また、茶漉し本体１０を支持部３０から取り外すとともに、支持部３０を胴体部５４から取り外すことにより注ぎ口６０の内側も清掃することができる。
【０１００】
以上のように、本実施例の急須用茶漉し５によれば、茶漉し本体１０を支持部３０に対して挿脱するのみで着脱できるので、極めて容易に茶漉し本体１０を着脱することができる。つまり、茶漉し本体１０を取り付ける際には、支持部３０に差し込み、茶漉し本体１０を取り外す場合には、支持部３０から引き抜けばよいので、着脱が極めて容易である。
【０１０１】
また、急須の胴体部の形状・大きさにかかわらず、胴体部に設けられた開口部５６が支持部３０が取付け可能な形状・大きさであればよいので、製造コストを低減させることができる。つまり、具体的には、開口部５６の形状が円形で、開口部５６の径Ｒが、Ｌｃ＋（Ｌ１２ａ−Ｌａ）／２≦Ｒ≦Ｌｄの式を満たせばよいので、急須の胴体部の形状・大きさにかかわらず（つまり、急須の周壁の形状・大きさにかかわらず）取り付けることができ、急須用茶漉し５の大きさの種類を少なくできるので、急須用茶漉しの製造コストを低減することができる。
【０１０２】
さらには、開口部５６の径Ｒが、Ｌｃ＋（Ｌ１２ａ−Ｌａ）／２≦Ｒ≦Ｌｄの式を満たせばよいことは、該式を満たすＲの大きさの開口部には適用可能であることを示しており、Ｌａ、Ｌｃ、Ｌｄ、Ｌ１２ａが特定された急須用茶漉しにおいて、Ｒの範囲が設けられるので、その範囲内の径Ｒには適用可能であり、その点でも、急須用茶漉し５の大きさの種類を少なくすることができる。特に、テーパ筒状部３２がテーパ状に形成されているので、開口部５６の径Ｒに若干の違いがあっても、外周面部３２ｂに接することができ、開口部５６の複数種類の大きさに対応することができるので、急須用茶漉し５の大きさの種類を少なくすることができ、急須用茶漉しの製造コストを低減させることができる。
【０１０３】
なお、上記の説明においては、支持部３０を開口部５６に取り付けた際には、開口部５６の縁部５７が支持部３０の外周面部３２ｂに接し、縁部５７の外側の面と環状突部３６間と縁部５７の内側の面と環状突部３４間のいずれか一方又は両方に隙間が形成されるとしたが、これには限られず、図２５に示すように、環状突部３４の前面部３４ａが縁部５７の内側の面に接するとともに、環状突部３６の後面部３６ｅが縁部５７の外側の面に接する（つまり、縁部５７が環状突部３４と環状突部３６に接する）構成としてもよい。
【０１０４】
すなわち、図２５に示す支持部３０’のように、環状突部３６の後面部３６ｅと前面部３６ａは、支持部３０の軸線Ｊに対して外周側が内周側に対して後側に傾斜した円環状とし、特に、後面部３６ｅは、環状突部３４の前面部３４ａと平行（略平行としてもよい）とし、支持部３０’を開口部５６に取り付けた際には、環状突部３４の前面部３４ａが縁部５７の内側の面に接するとともに、環状突部３６の後面部３６ｅが縁部５７の外側の面に接する。筒状部１２を支持部３０に挿通させた際に、テーパ筒状部３２が前側（環状突部３６側）の部分がテーパ筒状部３２の後側の部分に対して外側に屈曲するので、環状突部３６は、縁部５７に対して外側に若干スライドする。なお、筒状部１２を支持部３０に挿通させた状態でも、環状突部３４の前面部３４ａが縁部５７の内側の面に接するとともに、環状突部３６の後面部３６ｅが縁部５７の外側の面に接している。
【０１０５】
なお、筒状部１２を支持部３０に挿通させた際に、テーパ筒状部３２における前側の部分が外側に屈曲するので、支持部３０’を開口部５６に取り付けた状態においては（この状態では、茶漉し本体１０は支持部３０’に取り付けられていない）、縁部５７の端部と外周面部３２ｂの間に隙間を形成しておくのが好ましい。つまり、支持部３０’を開口部５６に取り付けた状態において、縁部５７の端部と外周面部３２ｂの間に隙間がない場合でも筒状部１２を支持部３０に挿通することにより支持部３０自体が縮むことによりテーパ筒状部３２が屈曲しなくても筒状部１２が支持部３０に支持された状態とすることもできるが、筒状部１２を支持部３０に確実に挿通できるようにするには、縁部５７の端部と外周面部３２ｂの間に隙間を形成しておくのが好ましい。
【０１０６】
このように、縁部５７が環状突部３４と環状突部３６に接する構成とすることにより、胴体部５４内の液体が支持部３０と縁部５７の間から流出することがないようにすることができる。つまり、縁部５７の端部と外周面部３２ｂの間に隙間が形成されていても、縁部５７が環状突部３４と環状突部３６に接するので、胴体部５４内の液体が支持部３０と縁部５７の間から流出することがない。
【０１０７】
また、縁部５７が環状突部３４と環状突部３６に接していれば縁部５７の端部と外周面部３２ｂの間に隙間がよいので、開口部５６の複数種類の大きさに対応することができるので、急須用茶漉し５の大きさの種類を少なくすることができ、急須用茶漉しの製造コストを低減させることができる。
【０１０８】
また、上記の説明においては、茶漉し本体１０を構成する筒状部１２と閉じ部２０とが別体であるとして説明したが、筒状部１２の一方の端部を筒状部１２と同じ素材で閉じ部２０を形成し、茶漉し本体１０を全体に一体に形成してもよい。例えば、図２６に示すように、筒状部１２を板状の穴あきメタルを筒状にして形成し、さらに、板状の穴あきメタルを円形（該筒状における径と同じ径の円形）に形成した閉じ部２０を該筒状部１２の一方の端部に溶接等により固定して茶漉し本体１０を構成する。なお、穴あきメタルの代わりに、穴が形成されていない金属製の板状部により閉じ部２０を構成してもよい。以上のように、筒状部１２と閉じ部２０とを有する茶漉し本体１０を全体に一体に構成してもよい。
【０１０９】
なお、穴あきメタルを円形に形成したものを該筒状部１２の一方の端部に溶接等により固定する作業はコストが掛かるので、図１から図１２に示すように、閉じ部２０をキャップ状とすることにより、低コストで茶漉し本体１０を製造することができる。
【０１１０】
なお、閉じ部２０を筒状部１２と同じ素材で筒状部１２に固定する場合には、筒状部１２の端部ではなく、筒状部１２の内側で、先端部１２−１と反対側の後端部１２−２に近い側（つまり、後端部１２−２側）に設けるようにしてもよい。
【符号の説明】
【０１１１】
５  急須用茶漉し
１０  茶漉し本体
１２  筒状部
２０  閉じ部
２２  本体部
２４  挿入部
３０  支持部
３２  テーパ筒状部
３２ａ  内周面部
３２ｂ  外周面部
３２ｃ  後面部
３２ｄ  前面部
３４、３６  環状突部
５０  急須
５２  急須本体
５４  胴体部
５６  開口部
５７  縁部
５８  上部開口部
６０  注ぎ口
６１  排出穴
６２  把手部
７０  蓋部
【図１】
2017042591.tif 000003
【図２】
2017042591.tif 000004
【図３】
2017042591.tif 000005
【図４】
2017042591.tif 000006
【図５】
2017042591.tif 000007
【図６】
2017042591.tif 000008
【図７】
2017042591.tif 000009
【図８】
2017042591.tif 000010
【図９】
2017042591.tif 000011
【図１０】
2017042591.tif 000012
【図１１】
2017042591.tif 000013
【図１２】
2017042591.tif 000014
【図１３】
2017042591.tif 000015
【図１４】
2017042591.tif 000016
【図１５】
2017042591.tif 000017
【図１６】
2017042591.tif 000018
【図１７】
2017042591.tif 000019
【図１８】
2017042591.tif 000020
【図１９】
2017042591.tif 000021
【図２０】
2017042591.tif 000022
【図２１】
2017042591.tif 000023
【図２２】
2017042591.tif 000024
【図２３】
2017042591.tif 000025
【図２４】
2017042591.tif 000026
【図２５】
2017042591.tif 000027
【図２６】
2017042591.tif 000028